Podtech/llm-jp-corpus-v4-ja_patent huggingface dataset:
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
ゲート駆動形スイッチング素子（１、１ａ）のゲートにゲート駆動信号を与える一つの出力素子（３）と、
前記ゲート駆動形スイッチング素子のゲートに前記ゲート駆動信号を定電流で与えるように前記出力素子を制御する定電流駆動回路（２０、２０ａ、２０ｂ、２０ｃ、２０ｘ）と、
前記ゲート駆動形スイッチング素子のゲートに前記ゲート駆動信号を定電圧で与えるように前記出力素子を制御する定電圧駆動回路（３０、３０ａ、３０ｂ、３０ｃ、３０ｙ、３０ｚ）とを備えたゲート駆動回路。
【請求項２】
前記定電流駆動回路および前記定電圧駆動回路は、いずれか一方の出力が前記出力素子に与えられ、他方の出力が前記一方の入力として与えられるように接続される請求項１に記載のゲート駆動回路。
【請求項３】
前記定電流駆動回路は、前記ゲート駆動形スイッチング素子に対して、ゲート電圧を所定の定電圧に達するまで定電流により一定の電圧上昇率で上昇させ、
前記定電圧駆動回路は、前記ゲート駆動形スイッチング素子に対して、ゲート電圧が所定の定電圧に達した後は定電圧で保持するように駆動制御される請求項２に記載のゲート駆動回路。
【請求項４】
前記定電流駆動回路は、
第１参照電圧を発生させる第１参照電源（２２、２２ｘ）と、
電源から前記出力素子に至る経路に設けられるシャント抵抗（２、２ｘ）と、
前記シャント抵抗と前記出力素子との間の電圧が前記第１参照電圧に近づくように前記出力素子を制御し、前記出力素子に前記シャント抵抗の抵抗値と前記第１参照電圧とによって決まるシャント電流を流すように制御する第１差動アンプ（２１、２１ａ）とを備えた請求項１から３のいずれか一項に記載のゲート駆動回路。
【請求項５】
前記定電圧駆動回路は、
第２参照電圧を発生させる第２参照電源（３２、３２ｙ）と、
前記ゲート駆動形スイッチング素子のゲート電圧が前記第２参照電圧に近づくように前記出力素子を制御する第２差動アンプ（３１、３１ａ）とを備えた請求項１から５のいずれか一項に記載のゲート駆動回路。
【請求項６】
前記定電流駆動回路（２０ａ、２０ｘ）は、前記出力素子の前記シャント電流値を調整可能に設けられる請求項１から５のいずれか一項に記載のゲート駆動回路。
【請求項７】
前記定電圧駆動回路（３０ｙ、３０ｚ）は、前記ゲート駆動形スイッチング素子に与えるゲート電圧を調整可能に設けられる請求項１から６のいずれか一項に記載のゲート駆動回路。
【請求項８】
前記定電流駆動回路は、前記ゲート駆動形スイッチング素子のゲート電圧が所定レベルに到達するまで定電流を与え、
前記定電圧駆動回路は、前記ゲート駆動形スイッチング素子のゲート電圧が所定レベルに到達した後に定電圧を与える請求項１から７のいずれか一項に記載のゲート駆動回路。
【手続補正２】
【補正対象書類名】明細書
【補正対象項目名】０００７
【補正方法】変更
【補正の内容】
【０００７】
請求項１に記載のゲート駆動回路は、ゲート駆動形スイッチング素子のゲートにゲート駆動信号を与える一つの出力素子と、前記ゲート駆動形スイッチング素子のゲートに前記ゲート駆動信号を定電流で与えるように前記出力素子を制御する定電流駆動回路と、前記ゲート駆動形スイッチング素子のゲートに前記ゲート駆動信号を定電圧で与えるように前記出力素子を制御する定電圧駆動回路とを備えている。
【手続補正３】
【補正対象書類名】明細書
【補正対象項目名】０００８
【補正方法】変更
【補正の内容】
【０００８】
上記構成を採用することにより、ゲート駆動形スイッチング素子のゲートに対して、出力素子によりゲート駆動信号を与える構成で、定電流駆動回路はゲート駆動信号を一つの定電流で与えるように制御し、定電圧駆動回路はゲート駆動信号を定電圧で与えるように制御する。これにより、ゲート駆動形スイッチング素子は、ゲート電圧が定電流により一定の電圧上昇率で上昇し、この後所定のゲート電圧に達すると、定電圧を保持するように制御される。そして、この場合に、定電流制御および定電圧制御のいずれも一つの出力素子を介して実施することができ、低コストで構成することができる。
【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
ゲームにおける課題を示す課題情報がそれぞれに関連付けられた複数の位置がそれぞれに設定された複数のオブジェクトを設定するオブジェクト設定手段と、
前記課題情報の示す課題がゲームプレイによって達成されたか否かを判定する達成判定手段と、
前記課題情報の示す課題が達成されたと判定された場合に、前記複数のオブジェクトについて、各オブジェクトにおける前記複数の位置のうちの、当該課題情報が関連付けられた位置を達成済み位置として設定する達成済み設定手段と、
前記各オブジェクトにおける複数の前記達成済み位置が所定の位置関係条件を満足するか否かを判定する所定条件判定手段と、を含む、
ゲーム制御装置。
【請求項２】
請求項１に記載のゲーム制御装置において、
前記複数のオブジェクトのうちのいずれかを対象オブジェクトとして設定する対象設定手段と、
前記複数のオブジェクトのうちの第１オブジェクトが前記対象オブジェクトとして設定されている状態で所定の条件を満足すると判定された場合に、前記対象オブジェクトを、前記第１オブジェクトから、前記複数のオブジェクトのうちの第２オブジェクトに変更する対象変更手段と、を更に含む、
ゲーム制御装置。
【請求項３】
請求項２に記載のゲーム制御装置において、
対象変更手段は、前記第１オブジェクトが前記対象オブジェクトとして設定されている状態で前記第１オブジェクトにおける複数の前記達成済み位置が前記所定の位置関係条件を満足すると判定された場合に、前記対象オブジェクトを、前記第１オブジェクトから、前記複数のオブジェクトのうちの第２オブジェクトに変更する、
【請求項４】
請求項２又は３に記載のゲーム制御装置において、
前記対象オブジェクトを表示手段に表示させるための制御を行う第１表示制御手段と、
前記対象オブジェクトが前記第２オブジェクトに変更される前において、前記第２オブジェクトに関する情報を前記表示手段に表示させるための制御を行う第２表示制御手段と、を更に含む、
ゲーム制御装置。
【請求項５】
ゲームにおける課題を示す課題情報がそれぞれに関連付けられた複数の位置がそれぞれに設定された複数のオブジェクトを設定するオブジェクト設定手段と、
前記課題情報の示す課題がゲームプレイによって達成されたか否かを判定する達成判定手段と、
前記課題情報の示す課題が達成されたと判定された場合に、前記複数のオブジェクトについて、各オブジェクトにおける前記複数の位置のうちの、当該課題情報が関連付けられた位置を達成済み位置として設定する達成済み設定手段と、
前記対象オブジェクトにおける複数の前記達成済み位置が所定の位置関係条件を満足するか否かを判定する所定条件判定手段と、を含む、
ゲームシステム。
【請求項６】
請求項１乃至４のいずれか１項に記載のゲーム制御装置、又は、請求項５に記載のゲームシステムとしてコンピュータを機能させるためのプログラム。
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
血管内血液ポンプ（１０）であって、
駆動部（１１）と、
カテーテル（１４）と、
ポンプ部（１２）と、を含む血管内血液ポンプ。
【請求項２】
請求項１に記載の血管内血液ポンプにおいて、
前記アキシャル滑り軸受（４０）または前記ラジアル−アキシャル滑り軸受（４６）が、前記モータシャフト（２５）に設置され、前記モータハウジング（２０）の円周方向の肩部で支持されるディスク（４４）を含む血管内血液ポンプ。
【請求項３】
請求項２に記載の血管内血液ポンプにおいて、
前記ディスク（４４）は、セラミックディスクである血管内血液ポンプ。
【請求項４】
請求項１〜３のいずれか１項に記載の血管内血液ポンプにおいて、
パージ流体ライン（２９）を含み、これが、前記パージ流体ラインを通じて供給された流体が前記アキシャル滑り軸受（４０）と前記モータハウジングの遠位端に位置付けられた前記ラジアル軸受（３１）の軸受隙間、または前記ラジアル−アキシャル滑り軸受（４６）の軸受隙間を通って流れるように配置される血管内血液ポンプ。
【請求項５】
請求項１〜４のいずれか１項に記載の血管内血液ポンプにおいて、
前記アキシャル滑り軸受（４０）または前記ラジアル−アキシャル滑り軸受（４６）の軸受隙間を形成する前記表面（４１、４２）の少なくとも一方が、前記軸受隙間を半径方向に外側から半径方向に内側へと貫通する経路（４３）を有する血管内血液ポンプ。
【請求項６】
請求項１〜５のいずれか１項に記載の血管内血液ポンプにおいて、
前記アキシャル滑り軸受（４０）または前記ラジアル−アキシャル滑り軸受（４６）の前記軸受隙間が、円周方向のある領域において収束する隙間として構成される血管内血液ポンプ。
【請求項７】
請求項６に記載の血管内血液ポンプにおいて、
前記アキシャル滑り軸受（４０）または前記ラジアル−アキシャル滑り軸受（４６）の軸受隙間を形成する前記表面（４２、４１）のうちの移動表面（４２）が平らである血管内血液ポンプ。
【請求項８】
請求項１〜５のいずれか１項に記載の血管内血液ポンプにおいて、
前記アキシャル滑り軸受（４０）または前記ラジアル−アキシャル滑り軸受（４６）の軸受隙間を形成する前記表面（４１、４２）の少なくとも一方が、螺旋状に配置された１つまたは複数の溝（４５）を有する血管内血液ポンプ。
【請求項９】
請求項８に記載の血管内血液ポンプにおいて、
前記アキシャル滑り軸受（４０）または前記ラジアル−アキシャル滑り軸受（４６）の軸受隙間を形成する前記表面（４１、４２）のうちの移動表面（４２）が、螺旋状に配置された１つまたは複数の溝を有する血管内血液ポンプ。
【請求項１０】
請求項１〜９のいずれか１項に記載の血管内血液ポンプにおいて、
前記セラミックは、酸化ジルコニウムである血管内血液ポンプ。
【請求項１１】
請求項１〜１０のいずれか１項に記載の血管内血液ポンプにおいて、
前記電気モータ（２１）の前記リードワイヤ（５１）と前記カテーテル（１４）に沿って延びる前記線（２３）が、前記モータハウジングの近位端にある前記ラジアル軸受（２７）の近位方向に位置付けられる表面の上に導電的に接続される血管内血液ポンプ。
【請求項１２】
請求項１１に記載の血管内血液ポンプにおいて、
前記モータハウジングが少なくとも部分的に注型プラスチックのハウジングであり、前記リードワイヤ（５１）と前記カテーテル（１４）に沿って延びる前記線（２３）との導電接続部（５２）は、前記モータハウジング（２０）の近位端にある前記ラジアル軸受（２７）の近位方向に位置付けられる表面の上に注型される血管内血液ポンプ。
【請求項１３】
請求項１〜１２のいずれか１項に記載の血管内血液ポンプにおいて、
前記アキシャル滑り軸受（４０）および前記ラジアル−アキシャル滑り軸受（４６）のうち少なくとも一方の表面を含む、前記モータハウジング（２０）の遠位端全体は、一体のセラミック部品から製造される血管内血液ポンプ。
【請求項１４】
請求項１〜１３のいずれか１項に記載の血管内血液ポンプにおいて、
前記アキシャル滑り軸受（４０）および前記ラジアル−アキシャル滑り軸受（４６）のうち少なくとも１つは、前記モータハウジング（２０）の端壁（３０）の軸方向の内面（４１）と、ロータ（２６）の遠位側で前記モータシャフト（２５）に着座し、前記ロータ（２６）と一緒に回転するセラミックディスク（４４）から成る対向表面（４２）とから形成される血管内血液ポンプ。
【請求項１５】
請求項１〜１４のいずれか１項に記載の血管内血液ポンプにおいて、
前記少なくとも１つのラジアル滑り軸受（２７、３１）において、軸受隙間を形成する前記表面の一方が、前記モータハウジング（２０）の端壁（３０）によって形成されるセラミック表面であり、軸受隙間を形成する前記表面のうち、これに対応する他方がＤＬＣコーティングされた前記モータシャフト（２５）の円周面によって形成される血管内血液ポンプ。
【請求項１６】
請求項１〜１４のいずれか１項に記載の血管内血液ポンプにおいて、
前記モータシャフト（２５）は、セラミック製であり、前記少なくとも１つのラジアル滑り軸受（２７、３１）において、軸受隙間を形成する前記表面の一方がセラミック表面であり、軸受隙間を形成する前記表面のうち、これに対応する他方が前記セラミックモータシャフト（２５）によって形成される、血管内血液ポンプ。
【請求項１７】
請求項１５または１６に記載の血管内血液ポンプにおいて、
前記セラミック表面は、前記モータハウジングの遠位端壁の貫通穴によって形成される血管内血液ポンプ。
【請求項１８】
請求項１５または１６に記載の血管内血液ポンプにおいて、
前記セラミック表面は、前記モータハウジングの近位端壁の一体部分を形成する軸受ブッシュによって形成される血管内血液ポンプ。
【請求項１９】
請求項４に記載の血管内血液ポンプと、前記パージ流体ラインに粘性が３７℃で１．２ｍＰａ・ｓ以上である流体を供給するためのパージ流体源と、を含むシステム。
【手続補正書】
【提出日】令和2年7月1日(2020.7.1)
【手続補正１】
【補正対象書類名】特許請求の範囲
【補正対象項目名】全文
【補正方法】変更
【補正の内容】
【特許請求の範囲】
【請求項１】
錠剤が搬送される、少なくとも二本の搬送経路と、
前記二本の搬送経路の間に設けられ、メンテナンスを行うメンテナンス部と、
前記搬送経路ごとに前記搬送経路の上方であって前記メンテナンス部の周囲に設けられ、ノズルから液体を吐出するインクジェット方式の印刷ヘッドと、
前記印刷ヘッドごとの前記搬送経路上方の印刷位置及び前記印刷ヘッドごとの前記メンテナンス部上方のメンテナンス位置に前記各印刷ヘッドを個別に移動させる移動装置と、
を備え、
前記各印刷ヘッドの前記各印刷位置は、それぞれメンテナンス部に移動させる前と後とで、同一位置であることを特徴とする錠剤印刷装置。
【請求項２】
錠剤が搬送される、少なくとも二本の搬送経路と、
前記二本の搬送経路の間に設けられ、メンテナンスを行うメンテナンス部と、
前記搬送経路ごとに前記搬送経路の上方であって前記メンテナンス部の周囲に設けられ、ノズルから液体を吐出するインクジェット方式の印刷ヘッドと、
前記各印刷ヘッドをそれぞれ、前記印刷ヘッドごとに設けられる、前記搬送装置上方の印刷位置および前記メンテナンス部上方のメンテナンス位置に個別に移動させる移動装置と、
を備え、
前記印刷ヘッドは、前記搬送経路ごとに二つ以上前記錠剤の搬送方向に並べられており、
前記メンテナンス位置は、前記搬送方向と交差する方向に並ぶ前記印刷ヘッドの組ごとに設けられており、
前記移動装置は、前記印刷ヘッドの組ごとに前記メンテナンス位置を共用するように前記各印刷ヘッドを個別に移動させることを特徴とする錠剤印刷装置。
【請求項３】
錠剤が搬送される、少なくとも二本の搬送経路と、
前記二本の搬送経路の間に設けられ、メンテナンスを行うメンテナンス部と、
前記搬送経路ごとに前記搬送経路の上方であって前記メンテナンス部の周囲の印刷位置に対応して設けられ、ノズルから液体を吐出するインクジェット方式の印刷ヘッドと、
前記各印刷ヘッドをそれぞれ、前記印刷ヘッドごとに設けられる、前記搬送経路上方の印刷位置及び前記メンテナンス部上方のメンテナンス位置に前記各印刷ヘッドを移動させる移動装置と、
を備え、
前記印刷ヘッドは、二つ以上前記錠剤の搬送方向と交差する方向に並べられており、
前記メンテナンス位置は、前記搬送方向と交差する方向に並ぶ前記印刷ヘッドの組ごとに設けられており、
前記移動装置は、前記印刷ヘッドの組ごとに前記メンテナンス位置を共用するように前記各印刷ヘッドを前記印刷ヘッドの組ごとに移動させることを特徴とする錠剤印刷装置。
【請求項４】
前記移動装置は、前記搬送経路ごとに、前記二つ以上の印刷ヘッドのうち少なくとも一つが前記印刷位置に存在するように前記各印刷ヘッドを個別に移動させることを特徴とする請求項２に記載の錠剤印刷装置。
【請求項５】
前記移動装置は、前記二つ以上の印刷ヘッドのうち少なくとも一つが前記印刷位置に存在し、他の一つが前記メンテナンス位置に存在するように前記各印刷ヘッドを前記印刷ヘッドの組ごとに移動させることを特徴とする請求項３に記載の錠剤印刷装置。
【請求項６】
前記印刷位置と前記メンテナンス位置との間で、かつ前記印刷ヘッドより上方に前記錠剤の搬送方向に延びるように吹出孔が形成され、前記吹出孔から下方に向けて気体を吹き出す気体吹付部を備えることを特徴とする請求項１から５のいずれか一項に記載の錠剤印刷装置。
【請求項７】
前記気体吹付部に対向するように配置され、前記気体吹付部により吹き出された前記気体を吸引する吸引口を備えることを特徴とする請求項６項に記載の錠剤印刷装置。
【請求項８】
錠剤が搬送される搬送経路と、
前記搬送経路の外側に設けられ、メンテナンスを行うメンテナンス部と、
前記搬送経路の上方であって前記メンテナンス部の周囲に設けられ、ノズルから液体を吐出するインクジェット方式の印刷ヘッドと、
前記印刷ヘッドの前記搬送経路上方の印刷位置及び前記印刷ヘッドの前記メンテナンス部上方のメンテナンス位置に前記印刷ヘッドを移動させる移動装置と、
前記印刷位置と前記メンテナンス位置との間に、前記印刷ヘッドより上方に前記錠剤の搬送方向に延びるように吹出孔が形成され、前記吹出孔から下方に向けて気体を吹き出す気体吹付部を備えることを特徴とする錠剤印刷装置。
【手続補正２】
【補正対象書類名】明細書
【補正対象項目名】０００７
【補正方法】変更
【補正の内容】
【０００７】
本発明の実施形態に係る錠剤印刷装置は、
錠剤が搬送される、少なくとも二本の搬送経路と、
前記二本の搬送経路の間に設けられ、メンテナンスを行うメンテナンス部と、
前記搬送経路ごとに前記搬送経路の上方であって前記メンテナンス部の周囲に設けられ、ノズルから液体を吐出するインクジェット方式の印刷ヘッドと、
前記印刷ヘッドごとの前記搬送経路上方の印刷位置及び前記印刷ヘッドごとの前記メンテナンス部上方のメンテナンス位置に前記各印刷ヘッドを個別に移動させる移動装置と、
を備え、
前記各印刷ヘッドの前記各印刷位置は、それぞれメンテナンス部に移動させる前と後とで、同一位置であることを特徴とする。
【手続補正３】
【補正対象書類名】明細書
【補正対象項目名】０００８
【補正方法】変更
【補正の内容】
【０００８】
本発明の実施形態に係る錠剤印刷装置は、錠剤が搬送される、少なくとも二本の搬送経
路と、二本の搬送経路の間に設けられ、メンテナンスを行うメンテナンス部と、前記搬送経路ごとに前記搬送経路の上方であって前記メンテナンス部の周囲に設けられ、ノズルから液体を吐出するインクジェット方式の印刷ヘッドと、前記各印刷ヘッドをそれぞれ、前記印刷ヘッドごとに設けられる、前記搬送経路上方の印刷位置及び前記メンテナンス部上方のメンテナンス位置に個別に移動させる移動装置と、を備え、前記印刷ヘッドは、前記搬送経路ごとに二つ以上前記錠剤の搬送方向に並べられており、
前記メンテナンス位置は、前記搬送方向と交差する方向に並ぶ前記印刷ヘッドの組ごとに設けられており、
前記移動装置は、前記印刷ヘッドの組ごとに前記メンテナンス位置を共用するように前記各印刷ヘッドを個別に移動させることを特徴とする。
【手続補正４】
【補正対象書類名】明細書
【補正対象項目名】０００９
【補正方法】変更
【補正の内容】
【０００９】
本発明の実施形態に係る錠剤印刷装置は、錠剤が搬送される搬送経路と、搬送経路の外側に設けられ、メンテナンスを行うメンテナンス部と、前記搬送経路の上方であってメンテナンス部の周囲に設けられ、ノズルから液体を吐出するインクジェット方式の印刷ヘッドと、前記印刷ヘッドの前記搬送経路上方の印刷位置及び前記印刷ヘッドの前記メンテナンス部上方のメンテナンス位置に前記印刷ヘッドを移動させる移動装置と、前記印刷位置と前記メンテナンス位置との間に、前記錠剤の搬送方向と平行に延びるように吹出孔が形成され、前記吹出孔から下方に向けて気体を吹き出す気体吹付部を備えることを特徴とする。
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
設定関連スイッチと、
設定値表示が可能な設定値表示手段と、
内部抽せん手段と、
リール制御手段と、を備え、
電源断を検出した場合には、電源断時処理を実行し得るよう構成されており、
前記設定関連スイッチが第１態様から第２態様となった場合に前記設定値表示手段に設定値を表示する設定値確認状態に移行する場合を有し、
前記内部抽せん手段の決定結果として所定の結果を決定し、前記複数のリールのうち未だストップスイッチの操作を検出していない残り一つの所定のリールが回転しているときに、当該所定のリールに対応する所定のストップスイッチの操作を所定のタイミングで検出した結果、前記所定の結果に対応する所定図柄組合せが停止し、その後当該所定のストップスイッチの操作を検出しなくなった場合は前記所定図柄組合せに対応する遊技媒体を付与し得るよう構成されており、
前記内部抽せん手段の決定結果として前記所定の結果を決定し、前記複数のリールのうち未だストップスイッチの操作を検出していない残り一つの前記所定のリールが回転しているときに、当該所定のリールに対応する前記所定のストップスイッチの操作を前記所定のタイミングで検出した結果、前記所定の結果に対応する前記所定図柄組合せが停止し、当該所定のストップスイッチの操作を継続して検出している状況において、電源断を検出し、その後電源断時処理によってリセット待ち処理を実行し、その後当該所定のストップスイッチが操作されている状態で電源が投入されて当該所定のストップスイッチの操作を検出している場合は前記所定図柄組合せに対応する遊技媒体を付与せず、その後当該所定のストップスイッチの操作を検出しなくなった場合は前記所定図柄組合せに対応する遊技媒体を付与し得るよう構成されており、
前記設定関連スイッチが第１態様となっている状況にて、前記内部抽せん手段の決定結果として前記所定の結果を決定し、前記複数のリールのうち未だストップスイッチの操作を検出していない残り一つの前記所定のリールが回転しているときに、当該所定のリールに対応する前記所定のストップスイッチの操作を前記所定のタイミングで検出した結果、前記所定の結果に対応する前記所定図柄組合せが停止し、当該所定のストップスイッチの操作を検出している場合は前記所定図柄組合せに対応する遊技媒体を付与せず、その後前記設定関連スイッチが第２態様となっている状況にて、当該所定のストップスイッチの操作を検出しなくなった場合に前記所定図柄組合せに対応する遊技媒体を付与し得るよう構成されており、
前記リール制御手段は、前記複数のリールのうち特定のリールを加速させるための加速処理を所定期間に亘って実行し得るよう構成されており、
前記特定のリールを加速させるための加速処理を実行している前記所定期間において電源断を検出し、その後電源が投入された場合は、当該所定期間の残りの期間で前記特定のリールを加速させるための加速処理を続きから実行し得るよう構成されていることを特徴とする遊技機。
【手続補正２】
【補正対象書類名】明細書
【補正対象項目名】０００５
【補正方法】変更
【補正の内容】
【０００５】
本発明に係る遊技機は、１ベットランプと、２ベットランプと、３ベットランプと、リプレイランプと、スタートランプと、遊技を開始するために操作されるスタートスイッチと、複数のリールと、内部抽せん手段と、リールを制御するリール制御手段と、を備え、所定の遊技で前記内部抽せん手段により所定の結果が決定され、その次の遊技であって、ベット数として３が設定された状況で前記スタートスイッチの操作を受け付けたことにより実行された遊技（前記所定の遊技の次回の遊技）で、前記内部抽せん手段により特定の結果が決定され、全てのリールが定速回転している状況下では、前記リプレイランプは消灯しており、前記１ベットランプは点灯しており、前記２ベットランプは点灯しており、前記３ベットランプは点灯しており、前記スタートランプは消灯しており、その後当該特定の結果に対応する図柄組合せが停止された以降の第１のタイミングにおいては、前記リプレイランプは消灯しており、前記１ベットランプは点灯しており、前記２ベットランプは点灯しており、前記３ベットランプは点灯しており、前記スタートランプは消灯しており、その後前記リプレイランプを点灯した後の第２のタイミングにおいては、前記スタートランプは点灯しており、前記内部抽せん手段により前記所定の結果が決定され、全てのリールが回転している状況下で所定のリールを最初に停止させるための所定のストップスイッチの操作の受け付けが所定のタイミングで検出され、前記所定の結果に対応する所定図柄が所定の位置に停止され、その後全てのリールが停止された所定の状況において前記所定の結果に対応する所定図柄組合せが停止されているときは前記所定図柄組合せに対応する遊技媒体が付与できるよう構成されており、前記内部抽せん手段により前記所定の結果が決定され、全てのリールが回転している状況下で前記所定のリールを最初に停止させるための前記所定のストップスイッチの操作の受け付けが前記所定のタイミングで検出されたにもかかわらず、前記所定の結果に対応する前記所定図柄が前記所定の位置に停止されず、その後全てのリールが停止された所定の状況において前記所定の結果に対応する前記所定図柄組合せが停止されていないときであっても前記所定図柄組合せに対応する遊技媒体が付与できるよう構成されていることを特徴とする。
また、上記課題を解決するために本発明は、遊技の進行を制御する遊技制御手段（主制御基板など）と、遊技に係る演出表示を制御する表示制御手段（サブ制御基板など）と、を備え、前記遊技制御手段は、遊技者に有利な所定の遊技状態を開始するときに所定時間に亘ってフリーズ処理（フリーズ演出など）を実施可能とし、前記表示制御手段は、前記フリーズ処理を実施しているときに表示する演出として表示データに基づく演出（特別状態開始表示、特別状態終了表示など）を表示可能とし、前記表示データは、少なくとも、第１表示データと、第２表示データとを有しており、前記フリーズ処理中、且つ前記第１表示データに基づく演出（特別状態開始表示における演出）の表示中に電源断が発生した後、電源復帰した状況では、電源断前まで実施していた前記フリーズ処理を続きから実施し、前記表示制御手段は前記第２表示データに基づく演出（開始時終了待ち表示における演出）を表示することを特徴とする態様であってもよい。
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
ステータコアと、前記ステータコアの内周側に形成された複数のスロットに挿入されたコイルと、前記ステータコアの内周面に開口する前記複数のスロットの開口部にそれぞれ設けられ、磁性粉末及び樹脂を含む混合物からなる複数の磁性楔とを備えた回転電機のステータを製造する方法において、
前記磁性粉末及び未硬化状態又は半硬化状態の前記樹脂を含む前記混合物を、前記複数のスロットの開口部に充填する第１の手順と、
前記ステータコアの内周面に沿って配置された柔軟性を有するマグネットシートを用いて、前記複数のスロットの開口部に充填されて前記磁性粉末及び未硬化状態又は半硬化状態の前記樹脂を含む前記混合物の内周面を前記ステータコアの内周面に対して同一の円筒側面となるように均すと共に前記磁性粉末を前記混合物の内周面側に引き寄せる第２の手順と、
前記混合物の内周面が均された状態で、前記樹脂を硬化して前記磁性楔を成形する第３の手順とを有することを特徴とする回転電機のステータの製造方法。
【請求項２】
ステータコアと、前記ステータコアの内周側に形成された複数のスロットに挿入されたコイルと、前記ステータコアの内周面に開口する前記複数のスロットの開口部にそれぞれ設けられ、磁性粉末及び樹脂を含む混合物からなる複数の磁性楔とを備えた回転電機のステータを製造する方法において、
前記磁性粉末及び未硬化状態又は半硬化状態の前記樹脂を含む前記混合物を、前記複数のスロットの開口部に充填する第１の手順と、
前記ステータコアの内周面に沿って配置された柔軟性を有するシートを用いて、前記複数のスロットの開口部に充填されて前記磁性粉末及び未硬化状態又は半硬化状態の前記樹脂を含む前記混合物の内周面を前記ステータコアの内周面に対して同一の円筒側面となるように均す第２の手順と、
前記混合物の内周面が均され且つ前記磁性粉末が前記混合物の内周面側に寄せられた状態で、前記樹脂を硬化して前記磁性楔を成形する第３の手順とを有することを特徴とする回転電機のステータの製造方法。
【請求項３】
請求項１又は２に記載の回転電機のステータの製造方法において、
前記シートは、前記ステータコアの内周面の全体又は一部に沿って配置されたことを特徴とする回転電機のステータの製造方法。
【請求項４】
請求項１又は２に記載の回転電機のステータの製造方法において、
前記シートは、粘着剤を用いて前記ステータコアの内周面に貼り付けられたことを特徴とする回転電機のステータの製造方法。
【請求項５】
回転軸と、前記回転軸の外周側に固定されたロータと、前記ロータの外周側に離間して配置されたステータとを備え、
前記ステータは、ステータコアと、前記ステータコアの内周側に形成された複数のスロットに挿入されたコイルと、前記ステータコアの内周面に開口する前記複数のスロットの開口部にそれぞれ設けられ、磁性粉末及び樹脂を含む混合物からなる複数の磁性楔とを備えた回転電機において、
前記磁性楔は、前記ステータコアの内周面に沿って配置されて前記磁性粉末を引き寄せる柔軟性を有するマグネットシートを用いて、前記複数のスロットの開口部に充填されて前記磁性粉末及び未硬化状態又は半硬化状態の前記樹脂を含む前記混合物の内周面が前記ステータコアの内周面に対して同一の円筒側面となるように均された状態で、前記樹脂が硬化されて成形されたことを特徴とする回転電機。
【請求項６】
回転軸と、前記回転軸の外周側に固定されたロータと、前記ロータの外周側に離間して配置されたステータとを備え、
前記ステータは、ステータコアと、前記ステータコアの内周側に形成された複数のスロットに挿入されたコイルと、前記ステータコアの内周面に開口する前記複数のスロットの開口部にそれぞれ設けられ、磁性粉末及び樹脂を含む混合物からなる複数の磁性楔とを備えた回転電機において、
前記磁性楔は、前記ステータコアの内周面に沿って配置された柔軟性を有するシートを用いて、前記複数のスロットの開口部に充填されて前記磁性粉末及び未硬化状態又は半硬化状態の前記樹脂を含む前記混合物の内周面が前記ステータコアの内周面に対して同一の円筒側面となるように均され且つ前記磁性粉末が前記混合物の内周面側に寄せられた状態で、前記樹脂が硬化されて成形されたことを特徴とする回転電機。
【手続補正２】
【補正対象書類名】明細書
【補正対象項目名】０００７
【補正方法】変更
【補正の内容】
【０００７】
上記課題を解決するために、特許請求の範囲に記載の構成を適用する。本発明は、上記課題を解決するための手段を複数含んでいるが、その一例を挙げるならば、ステータコアと、前記ステータコアの内周側に形成された複数のスロットに挿入されたコイルと、前記ステータコアの内周面に開口する前記複数のスロットの開口部にそれぞれ設けられ、磁性粉末及び樹脂を含む混合物からなる複数の磁性楔とを備えた回転電機のステータを製造する方法において、前記磁性粉末及び未硬化状態又は半硬化状態の前記樹脂を含む前記混合物を、前記複数のスロットの開口部に充填する第１の手順と、前記ステータコアの内周面に沿って配置された柔軟性を有するマグネットシートを用いて、前記複数のスロットの開口部に充填されて前記磁性粉末及び未硬化状態又は半硬化状態の前記樹脂を含む前記混合物の内周面を前記ステータコアの内周面に対して同一の円筒側面となるように均すと共に前記磁性粉末を前記混合物の内周面側に引き寄せる第２の手順と、前記混合物の内周面が均された状態で、前記樹脂を硬化して前記磁性楔を成形する第３の手順とを有する。
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
互いに取り外し可能に接続されうる上側部材及び下側部材を有しており、
前記上側部材が、蛇口の排出管に上側から当接しうる当接部と、上側係合部とを有しており、
前記下側部材が、パッキンを有する排出管挿入部と、前記上側係合部と係合しうる下側係合部と、ホース接続部と、を有しており、
前記上側部材及び前記下側部材のうちの一方を他方に対して押し付けることにより、前記上側係合部と前記下側係合部とが互いに係合した接続状態が形成され、
前記上側部材が、操作によって前記当接部の位置を変化させうる調節部と、前記調節部を異なる操作方向位置で保持しうる保持部とを有しているホース接続具。
【請求項２】
前記当接部が前記排出管に近づくときの前記操作方向が第１方向とされ、前記当接部が前記排出管から遠ざかるときの前記操作方向が第２方向とされるとき、
前記第１方向への前記調整部の操作に比較して、前記第２方向への前記調整部の操作が規制されている請求項１に記載のホース接続具。
【請求項３】
前記調節部の前記操作が回転である請求項１又は２に記載のホース接続具。
【請求項４】
前記当接部が、螺旋状に延在する下面であり、
前記調節部を回転させることで、前記排出管に対する前記下面の位置が変化する請求項３に記載のホース接続具。
【請求項５】
前記保持部がラチェット機構で構成されている請求項３又は４に記載のホース接続具。
【請求項６】
前記上側係合部が、周方向における一部が欠落した欠落部を有している請求項１から５のいずれか１項に記載のホース接続具。
【請求項７】
前記欠落部が周方向における２箇所に設けられることで、前記上側係合部が第１係合部と第２係合部とに分断されており、
前記上側部材が、前記第１係合部と前記第２係合部とを繋ぐ連結部を有しており、
前記連結部が、前記当接部を有している請求項６に記載のホース接続具。
【請求項８】
前記パッキンが、前記排出管の外面に密着しうる円筒部を有しており、
前記円筒部の外側に空間が設けられている請求項１から７のいずれか１項に記載のホース接続具。
【請求項９】
前記上側部材が、上側から前記排出管に取り付けることができる請求項１から８のいずれか１項に記載のホース接続具。
【請求項１０】
前記接続状態において、前記上側部材が、前記パッキンに圧縮力を付与していない請求項１から９のいずれか１項に記載のホース接続具。
【請求項１１】
前記上側部材と前記下側部材とによって曲がって延びる前記排出管を挟み込むことができるように構成されている請求項１から１０のいずれか１項に記載のホース接続具。
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
信号線と、第１の走査線と、第２の走査線と、画素回路と、を有する表示装置であって、
前記画素回路は、発光素子と、第１のトランジスタと、第２のトランジスタと、を有し、
前記第１のトランジスタのゲートは、前記第１の走査線と電気的に接続され、
前記第１のトランジスタのソースまたはドレインの一方は、前記信号線と電気的に接続され、
前記第１のトランジスタのソースまたはドレインの他方は、前記第２のトランジスタのゲートと電気的に接続され、
前記第２のトランジスタは、バックゲートを有し、
前記第２のトランジスタのソースまたはドレインの一方は、前記発光素子の一方の電極と電気的に接続され、
前記第２の走査線は、前記バックゲートに電気的に接続された表示装置。
【請求項２】
請求項１において、
前記第１のトランジスタまたは前記第２のトランジスタは、チャネル形成領域に酸化物半導体を有する、表示装置。
【請求項３】
請求項１または２において、
前記発光素子は、有機化合物層を有する、表示装置。
【請求項４】
表示部と、ゲートドライバと、を有する表示装置の駆動方法であって、
前記表示部は、複数の信号線と、複数の第１の走査線と、複数の第２の走査線と、第１の画素回路と、第２の画素回路と、を有し、
前記第１の画素回路および前記第２の画素回路は、それぞれ、発光素子と、第１のトランジスタと、第２のトランジスタと、を有し、
前記第２のトランジスタはバックゲートを有し、
前記ゲートドライバは、複数の前記第１の走査線に電気的に接続され、
前記ゲートドライバは、複数の前記第２の走査線に電気的に接続され、
前記第１の走査線は、前記第１の画素回路が有する第１のトランジスタのゲートと、前記第２の画素回路が有する第１のトランジスタのゲートと、に電気的に接続され、
前記第２の走査線は、前記第１の画素回路が有する第２のトランジスタのバックゲートと、前記第２の画素回路が有する第２のトランジスタのバックゲートと、に電気的に接続され、
前記ゲートドライバは、複数の前記第１の走査線に第１の走査信号を出力する機能を有し、
前記ゲートドライバは、複数の前記第２の走査線に第２の走査信号を出力する機能を有し、
１フレーム期間は、第１の期間と、第２の期間と、を有し、
前記第１の期間において、前記発光素子の発光および階調を制御し、
前記第２の期間において、前記発光素子の消灯を制御する表示装置の駆動方法。
【請求項５】
請求項４において、
前記第１の期間の後に、前記第２の期間を有する表示装置の駆動方法であって、
前記第１の期間は、
前記ゲートドライバが前記第１の走査線に前記第１の走査信号を与え、
前記信号線が、前記第１のトランジスタを介して前記第２のトランジスタのゲートに信号を与え、
前記信号に応じた電流が前記第２のトランジスタから前記発光素子に与えられ、
前記第２の走査信号は、前記第２のトランジスタのソースの電圧以上の電圧を前記第２のトランジスタの前記バックゲートに与え、
前記第２のトランジスタは、前記バックゲートの電圧により第２のトランジスタの電流の大きさを制御して、前記発光素子の発光および階調を制御し、
前記第２の期間は、
前記第２の走査信号は、前記第２のトランジスタのソースの電圧よりも小さな電圧を前記第２のトランジスタの前記バックゲートに与え、
前記第２のトランジスタは、前記バックゲートの電圧により閾値電圧を制御して、前記閾値電圧を制御することで、前記発光素子を消灯させることで発光期間を制御する表示装置の駆動方法。
【請求項６】
請求項１乃至３のいずれか一に記載の表示装置と、タッチセンサと、を有する、表示モジュール。
【請求項７】
請求項１乃至３のいずれか一に記載の表示装置、または請求項６に記載の表示モジュールと、操作キーまたはバッテリと、を有する、電子機器。
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
潜像を担持する回転可能な像担持体と、
前記像担持体を露光する露光手段と、
前記像担持体を帯電する帯電部材と、
前記帯電部材にバイアス電圧を印加するバイアス印加手段と、
前記帯電部材と前記像担持体との間で放電する電流量を検知する放電量検知手段と、前記放電量検知手段によって検知される放電電流量から前記帯電部材に印加するバイアス電圧を決定する放電電流制御手段と、
前記帯電部材と前記像担持体との間の放電に関する情報である放電情報を検出する放電情報検出手段とを有し、
前記放電情報検出手段は、前記像担持体の面内の印字可能な領域の一部に回転方向に対し垂直な方向の幅が前記印字可能な領域の幅よりも小さい領域を部分測定領域と設定し、前記帯電部材により前記像担持体を一定の電位に帯電した後に前記露光手段によって前記部分測定領域と前記部分測定領域を除く領域とで互いに異なる電位を形成している時に前記部分測定領域と前記帯電部材との間の放電に関する部分放電情報を検出し、
前記放電電流制御手段は、該部分放電情報に基づいて前記帯電部材に印加される画像形成におけるバイアス電圧を補正することを特徴とする画像形成装置。
【請求項２】
前記放電情報は放電開始電圧であることを特徴とする請求項１に記載の画像形成装置。
【請求項３】
前記放電情報は放電電流であることを特徴とする請求項１に記載の画像形成装置。
【請求項４】
前記部分測定領域を、前記露光手段によって露光される露光部とし、前記部分測定領域を除く領域を、前記露光手段によって露光されない非露光部とすることで、前記部分測定領域と前記部分測定領域を除く領域とが互いに異なる電位にされることにより、前記部分放電情報を検出することを特徴とする請求項１ないし３のいずれか１項に記載の画像形成装置。
【請求項５】
前記部分測定領域を、前記露光手段によって露光されない非露光部とし、前記部分測定領域を除く領域を、前記露光手段によって露光される露光部とすることで、前記部分測定領域と前記部分測定領域を除く領域とが互いに異なる電位にされることにより、前記部分
放電情報を検出することを特徴とする請求項１ないし３のいずれか１項に記載の画像形成装置。
【請求項６】
前記放電情報検出手段は、前記帯電部材に直流のバイアス電圧を印加した場合の放電情報を検知することを特徴とする請求項１ないし５のいずれか１項に記載の画像形成装置。
【請求項７】
前記放電情報検出手段は、前記帯電部材に直流のバイアス電圧に交流のバイアス電圧を重畳させて印加した場合の放電情報を検知することを特徴とする請求項１ないし５のいずれか１項に記載の画像形成装置。
【請求項８】
前記放電電流制御手段によって、前記帯電部材に直流のバイアス電圧に交流のバイアス電圧を重畳させて印加した場合の放電情報を検知することを特徴とする請求項７に記載の画像形成装置。
【請求項９】
前記部分測定領域は、記録材の幅に応じて設定されることを特徴とする請求項１ないし８のいずれか１項に記載の画像形成装置。
【請求項１０】
請求項１ないし９のいずれか１項に記載されている画像形成装置の本体に着脱可能なプロセスカートリッジであって、前記像担持体と、前記帯電部材と、バイアス電圧の決定に用いる情報を記憶させた不揮発性メモリとを備えたことを特徴とするプロセスカートリッジ。
【請求項１１】
潜像を担持する回転可能な像担持体と、
前記像担持体を露光する露光手段と、
前記像担持体を帯電する帯電部材と、
前記帯電部材にバイアス電圧を印加するバイアス印加手段と、
前記帯電部材と前記像担持体との間で放電する電流量を検知する放電量検知手段と、
前記放電量検知手段で得られる放電電流量から前記帯電部材に印加するバイアス電圧を決定する放電電流制御手段と、
を有している画像形成装置における画像形成方法であって、
前記像担持体の面内の印字可能な領域の一部に回転方向に対し垂直な方向の幅が前記印字可能な領域よりも小さく設定された部分測定領域に対して、前記帯電部材により前記像担持体を一定の電位に帯電する工程と、
前記露光手段により前記部分測定領域と前記部分測定領域を除く領域とを互いに異なる電位とする工程と、
前記部分測定領域と前記帯電部材との間の放電に関する部分放電情報を検出する工程と、
前記部分放電情報に基づいて前記帯電部材に印加される画像形成におけるバイアス電圧を補正する工程を有することを特徴とする画像形成方法。
【手続補正２】
【補正対象書類名】明細書
【補正対象項目名】００１３
【補正方法】変更
【補正の内容】
【００１３】
上記目的を達成する為の本発明の構成は、潜像を担持する回転可能な像担持体と、前記像担持体を露光する露光手段と、前記像担持体を帯電する帯電部材と、前記帯電部材にバイアス電圧を印加するバイアス印加手段と、前記帯電部材と前記像担持体との間で放電す
る電流量を検知する放電量検知手段と、前記放電量検知手段によって検知される放電電流量から前記帯電部材に印加するバイアス電圧を決定する放電電流制御手段と、前記帯電部材と前記像担持体との間の放電に関する情報である放電情報を検出する放電情報検出手段とを有し、前記放電情報検出手段は、前記像担持体の面内の印字可能な領域の一部に回転方向に対し垂直な方向の幅が前記印字可能な領域の幅よりも小さい領域を部分測定領域と設定し、前記帯電部材により前記像担持体を一定の電位に帯電した後に前記露光手段によって前記部分測定領域と前記部分測定領域を除く領域とで互いに異なる電位を形成している時に前記部分測定領域と前記帯電部材との間の放電に関する部分放電情報を検出し、前記放電電流制御手段は、該部分放電情報に基づいて前記帯電部材に印加される画像形成におけるバイアス電圧を補正することを特徴とする。
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
筋肉消耗疾患の治療、筋組織の量の増大、筋組織の強度の増大、および／または体脂肪の蓄積の低減における使用のための、潜在型ミオスタチンに結合する抗体であって、ミオスタチンの活性化を阻害する、抗体。
【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
組成式がＢａＺｒ１−ｘ４Ｍ４ｘ４Ｏ３（Ｍ４はイッテルビウムであり、０＜ｘ４＜１）で表される化合物を有する電解質材料を含む第１の固体電解質膜を含むプロトン伝導性の固体電解質膜と、
組成式がＢａＺｒ１−ｘ１Ｍ１ｘ１Ｏ３（Ｍ１はイッテルビウムであり、ｘ１は０．２以上０．３以下）で表される化合物を有する電解質材料と、Ｎｉと、を含むアノードと、
カソードと、
前記アノードに水素含有ガスを供給するアノードガス経路と、
前記カソードに酸化剤ガスを供給するカソードガス経路と、
を備え、
前記固体電解質膜は、前記アノードと一方側の面で接し、該一方側の面とは反対側となる他方側の面において前記カソードと接し、
前記アノード、前記固体電解質膜、および前記カソードの順に積層されており、かつ
前記水素含有ガスはＣＯ２を含む、
燃料電池。
【請求項２】
供給された原料を改質し、前記水素含有ガスを生成する改質器をさらに備える、
請求項１に記載の燃料電池。
【請求項３】
前記アノードは、組成式がＢａＺｒ１−ｘ３Ｍ３ｘ３Ｏ３（Ｍ３は、Ｅｒ、Ｙ、Ｈｏ、Ｄｙ、Ｇｄから選ばれる１種類以上の元素、０＜ｘ３＜１）で表される第３の化合物を含まない、
請求項１に記載の燃料電池。
【請求項４】
前記固体電解質膜は、組成式がＢａＺｒ１−ｘ６Ｍ６ｘ６Ｏ３、ＢａＣｅ１−ｘ７Ｍ７ｘ７Ｏ３、およびＢａＺｒ１−ｘ８−ｙ８Ｃｅｘ８Ｍ８ｙ８Ｏ３（Ｍ６、Ｍ７、Ｍ８は、Ｌａ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｙ、Ｓｃ、Ｍｎ、Ｆｅ、Ｃｏ、Ｎｉ、Ａｌ、Ｇａ、Ｉｎ、Ｌｕから選ばれる１種類以上の元素、０＜ｘ６＜１、０＜ｘ７＜１、０＜ｘ８＜１、０＜ｙ８＜１）のうちのいずれか１つの組成式で表される化合物を含む第２の固体電解質膜をさらに備え、
前記第１の固体電解質膜は、前記アノードと一方側の面で接し、前記一方側の面とは反対側となる他方側の面において、前記第２の固体電解質膜と接し、かつ
前記アノード、前記第１の固体電解質膜、および前記第２の固体電解質膜の順に積層されている、
請求項１に記載の燃料電池。
【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
電気化学装置であって、
マグネシウムを含むアノードと、
カソードと、
前記アノードおよび前記カソードと接触する電解液とを備え、
前記電解液は、
カルボラニルマグネシウム塩と、
前記カルボラニルマグネシウム塩が溶解される、１ｃＰ未満の粘度を有する、混合エーテル溶媒とを含み、
３ｍＳ／ｃｍよりも大きなイオン伝導度を有し、
前記混合エーテル溶媒は、
第１エーテル溶媒と、
前記第１エーテル溶媒とは異なる第２エーテル溶媒とを含み、
前記カルボラニルマグネシウム塩は、少なくとも０．２５重量モル濃度の濃度で存在する、電気化学装置。
【請求項２】
前記カルボラニルマグネシウム塩は、少なくとも０．８重量モル濃度の濃度で存在する、請求項１に記載の電気化学装置。
【請求項３】
前記カルボラニルマグネシウム塩は、以下からなる群から選択される式、
【化１】
2018088399.tif 000001
または、前述のうち少なくとも２つの組み合わせを有し、ここで、ｉは５〜１１の範囲内の整数であり、ｊは０〜ｉの範囲内の整数であり、ｋは０〜ｉの間の整数であり、互いのＸから独立したそれぞれのＸは、フッ素、塩素、臭素、またはヨウ素であり、互いのＲから独立したそれぞれのＲは、アルキル、アリール、アルコキシ、アリールオキシ、それらの部分的または完全なフッ化物類縁体、または前述の官能基を組み合わせる部分である、請求項１に記載の電気化学装置。
【請求項４】
前記カルボラニルマグネシウム塩のアニオンは、正十二面体のクロソカルボラニルアニオンである、請求項１に記載の電気化学装置。
【請求項５】
前記電解液は、少なくとも３．０Ｖの電位で安定である、請求項１に記載の電気化学装置。
【請求項６】
前記カソードは有機カソード材料を含む、請求項１に記載の電気化学装置。
【請求項７】
電気化学装置を準備するための方法であって、
アノードおよびカソードを電解液と接触させることを含み、
前記電解液は、
少なくとも０．２５重量モル濃度の濃度で存在し、Ｍｇ２＋であるカチオン及びカルボラニルアニオンと、を含む、カルボラニルマグネシウム塩と、
前記カルボラニルマグネシウム塩が溶解された、１ｃＰ未満の粘度を有する、混合エーテル溶媒とを含み、
前記混合エーテル溶液は、
第１エーテル溶媒と、
前記第１エーテル溶媒とは異なる第２エーテル溶媒とを含む、方法。
【請求項８】
前記カルボラニルマグネシウム塩は、以下からなる群から選択される式、
【化２】
2018088399.tif 000002
または、前述のうち少なくとも２つの組み合わせを有し、ここで、ｉは５〜１１の範囲内の整数であり、ｊは０〜ｉの範囲内の整数であり、ｋは０〜ｉの間の整数であり、互いのＸから独立したそれぞれのＸは、フッ素、塩素、臭素、またはヨウ素であり、互いのＲから独立したそれぞれのＲは、アルキル、アリール、アルコキシ、アリールオキシ、それらの部分的または完全なフッ化物類縁体、または前述の官能基を組み合わせる部分である、請求項７に記載の方法。
【請求項９】
前記カルボラニルマグネシウム塩は、正十二面体のクロソカルボラニルアニオンを含む、請求項７に記載の方法。
【請求項１０】
前記電解液は、少なくとも３．０Ｖの電位で安定である、請求項７に記載の方法。
【請求項１１】
前記第１エーテル溶媒は、テトラヒドロフラン（ＴＨＦ）及び１，２−ジメトキシエタン（ＤＭＥ）からなる群より選択される、請求項１に記載の電気化学装置。
【請求項１２】
前記第２エーテル溶媒は、１，２−ジメトキシエタン（ＤＭＥ）、ビス（２−メトキシエチル）エーテル（ジグリム）、トリエチレングリコールジメチルエーテル（トリグリム）、及びテトラエチレングリコールジメチルエーテル（テトラグリム）からなる群より選択される、請求項１に記載の電気化学装置。
【請求項１３】
前記第２エーテル溶媒は、ビス（２−メトキシエチル）エーテル（ジグリム）、トリエチレングリコールジメチルエーテル（トリグリム）、及びテトラエチレングリコールジメチルエーテル（テトラグリム）からなる群より選択される、請求項１に記載の電気化学装置。
【請求項１４】
前記カルボラニルマグネシウム塩はＭｇ（ＣＢ11Ｈ12）2であり、前記第１エーテル溶媒はテトラヒドロフラン（ＴＨＦ）であり、前記第２エーテル溶媒はビス（２−メトキシエチル）エーテル（ジグリム）である、請求項１に記載の電気化学装置。
【請求項１５】
前記カルボラニルマグネシウム塩はＭｇ（ＣＢ11Ｈ12）2であり、前記第１エーテル溶媒は１，２−ジメトキシエタン（ＤＭＥ）であり、前記第２エーテル溶媒はビス（２−メトキシエチル）エーテル（ジグリム）である、請求項１に記載の電気化学装置。
【請求項１６】
前記カルボラニルマグネシウム塩は、以下からなる群から選択される式、
【化３】
2018088399.tif 000003
または、前述のうち少なくとも２つの組み合わせを有し、ここで、ｉは１１であり、ｊは１であり、ｋは０であり、Ｘは、フッ素、塩素、臭素、またはヨウ素であり、互いのＲから独立したそれぞれのＲは、アルキル、アリール、アルコキシ、アリールオキシ、それらの部分的または完全なフッ化物類縁体、または前述の官能基を組み合わせた部分である、請求項１に記載の電気化学装置。
【手続補正書】
【提出日】令和2年11月6日(2020.11.6)
【手続補正１】
【補正対象書類名】明細書
【補正対象項目名】発明の名称
【補正方法】変更
【補正の内容】
【発明の名称】正極活物質の作製方法
【手続補正２】
【補正対象書類名】特許請求の範囲
【補正対象項目名】全文
【補正方法】変更
【補正の内容】
【特許請求の範囲】
【請求項１】
アルミニウムアルコキシドをアルコールに溶解する工程と、
前記アルミニウムアルコキシドが前記アルコールに溶解されたアルミニウムアルコキシドのアルコール溶液に、リチウムと、遷移金属と、マグネシウムと、酸素と、フッ素と、を有する粒子を混合する工程と、
前記アルミニウムアルコキシドのアルコール溶液と、前記リチウムと、遷移金属と、マグネシウムと、酸素と、フッ素と、を有する粒子と、が混合された混合液を、水蒸気を含む雰囲気下で撹拌する工程と、
前記混合液中から沈殿物を回収する工程と、
回収された前記沈殿物を、酸素を有する雰囲気下で５００℃以上１２００℃以下、保持時間５０時間以下で加熱する工程と、
を有する、正極活物質の作製方法。
【請求項２】
リチウム源、遷移金属源、マグネシウム源およびフッ素源を混合する工程と、
前記リチウム源、前記コバルト源、前記マグネシウム源および前記フッ素源の混合物を、８００℃以上１０５０℃以下で２時間以上２０時間以下加熱し、リチウムと、遷移金属と、マグネシウムと、酸素と、フッ素と、を有する粒子を得る工程と、
アルミニウムアルコキシドをアルコールに溶解する工程と、
前記アルミニウムアルコキシドが前記アルコールに溶解されたアルミニウムアルコキシドのアルコール溶液に、前記リチウムと、遷移金属と、マグネシウムと、酸素と、フッ素と、を有する粒子を混合する工程と、
前記アルミニウムアルコキシドのアルコール溶液と、前記リチウムと、遷移金属と、マグネシウムと、酸素と、フッ素と、を有する粒子と、が混合された混合液を、水蒸気を含む雰囲気下で撹拌する工程と、
前記混合液中から沈殿物を回収する工程と、
回収された前記沈殿物を、酸素を有する雰囲気下で５００℃以上１２００℃以下、保持時間５０時間以下で加熱する工程と、
を有する、正極活物質の作製方法。
【請求項３】
請求項２において、
前記マグネシウム源に含まれるマグネシウムと、前記フッ素源に含まれるフッ素の原子数比は、
Ｍｇ：Ｆ＝１：ｘ（１．５≦ｘ≦４）
である、正極活物質の作製方法。
【請求項４】
請求項１乃至請求項３のいずれか一において、
前記遷移金属は、コバルトを有する正極活物質の作製方法。